(57)【要約】      （修正有）【課題】地上から簡易安全にカーテンを天井等の高所に取り付けることのできる高所カーテン取付具を提供する。【解決手段】カーテンを上方に持ち上げてその上縁を高所の金属プレートにマグネットを以って吸着することにより該カーテンを高所に取り付けるための高所カーテン取付具１であって、支持台２と、支持台２上に固定された固定棒３と、固定棒３内に挿入された伸縮棒４と、伸縮棒４の先端に設けられた支持用横杆５と、支持用横杆５に設けられた挿入爪６と、伸縮棒４を固定棒３に対して伸長状態で固定するロック部材とを具備し、挿入爪６をカーテンの上縁の下側開口ポケットに挿入した状態で、伸縮棒４を固定棒３に対して上方に伸長することによりカーテンを高所に持ち上げてその上縁を高所の金属プレートに磁気的に吸着させることを可能とした。【選択図】図１
0003193820.tif 000002
【実用新案登録請求の範囲】
【請求項１】
カーテンを上方に持ち上げて、その上縁を高所の金属プレートにマグネットを以って吸着させることにより、該カーテンを高所に取り付けるための高所カーテン取付具であって、
支持台と、該支持台上に自立状態で垂直に固定された固定棒と、該固定棒内に挿入され該固定棒に対して上下方向に摺動可能な伸縮棒と、該伸縮棒の先端に設けられた支持用横杆と、該支持用横杆の上方に突出して設けられた挿入爪と、上記伸縮棒と上記固定棒との重複管部を径方向に貫通することで伸長状態の上記伸縮棒を上記固定棒に対して固定するロック部材とを具備しており、
上記挿入爪を上記カーテンの上縁の下側開口ポケットに挿入した状態で、上記伸縮棒を上記固定棒に対して上方に伸長することにより、上記固定棒の自立状態で上記カーテンを高所に持ち上げ可能に構成したものであることを特徴とする高所カーテン取付具。
【請求項２】
上記挿入爪は、上記支持用横杆に沿う垂直平面に対して、上記挿入爪の先端側が上記垂直平面の前方側又は後方側に離間する方向に、所定角度傾斜して設けられているものであることを特徴とする請求項１記載の高所カーテン取付具。
【請求項３】
上記支持台は下面側にキャスターを具備しているものである請求項１又は２記載の高所カーテン取付具。
【請求項４】
上記伸縮棒を複管構造の管状部材により構成し、径大の上記伸縮棒に対して径小の上記伸縮棒の長さが長くなるように構成し、最少径の上記伸縮棒の先端部に上記支持用横杆を設け、
上記各伸縮棒は他の伸縮棒に対する伸長状態において、両伸縮棒の重複管部を径方向に貫通することで伸長状態の上記伸縮棒を上記他の伸縮棒に対して固定するロック部材を具備しているものである請求項１〜３の何れかに記載の高所カーテン取付具。
【請求項５】
上記挿入爪は上記支持用横杆の上縁に沿って複数本設けられているものである請求項１〜４の何れかに記載の高所カーテン取付具。
【請求項６】
上記複数の挿入爪の設置位置に合わせて、上記カーテンの上縁に沿って複数の上記下側開口ポケットを設け、
上記各下側開口ポケットに上記各挿入爪を１本ずつ挿入し得るように構成したものである請求項５記載の高所カーテン取付具。
【請求項７】
上記支持用横杆は上記カーテンの上縁の横幅と同様の幅を有するものである請求項１〜６の何れかに記載の高所カーテン取付具。
【請求項８】
上記固定棒に、上記ロック部材を挿入するための貫通孔を、上下方向に複数個設けたものである請求項１〜７の何れかに記載の高所カーテン取付具。
【請求項９】
上記支持台上に、上記固定棒と上記支持台とを連結する把持用手摺りを設けたものである請求項１〜８の何れかに記載の高所カーテン取付具。
【請求項１０】
上記カーテンは一側面側の上記上縁に、上記マグネットの収納されたマグネット収納部が上記上縁に沿う水平方向に複数個設けられており、
上記カーテンの上記上縁を垂直面に設置された上記金属プレートに接続するものである請求項１〜９の何れかに記載の高所カーテン取付具。
【請求項１１】
上記カーテンは上記上縁に沿って上記マグネットの収納されたマグネット収納部が複数個設けられており、上記各マグネット収納部は上記上縁に対して水平方向に折曲された状態となっており、
上記カーテンの上記マグネット収納部を水平面に設置された上記金属プレートに接続するものである請求項１〜９の何れかに記載の高所カーテン取付具。
【考案の詳細な説明】
【技術分野】
【０００１】
本考案は、例えば結婚式場の雛壇の背後に使用される装飾用カーテン等を、天井、壁面等の高所に取り付けるための高所カーテン取付具に関するものである。
【背景技術】
【０００２】
従来、結婚式場の雛壇の背後に装飾用のカーテンを設け、雛壇を装飾することが行われている。
【０００３】
このようなカーテンは、天井面に予め金属製のプレートを予め固定しておくと共に、装飾用カーテンの上縁に沿って複数個のマグネットを収納配置し、上記装飾用カーテンを持ち上げて上記上縁のマグネットを上記天井面の上記金属製プレートに吸着することにより、上記カーテンを上記天井面に吊り下げ固定する構成である（特許文献１，２）。
【０００４】
上記天井面の高さは、会場によって異なるが、地上から３ｍ〜６ｍの高さにあるため、この種の装飾用カーテンを上記天井面に取り付けるには、相当高さの踏み台を用意し、作業者が当該踏み台に上り、踏み台上から上記装飾用カーテンの上端部を上記天井面の金属製プレートに吸着させることにより行っていた。
【先行技術文献】
【特許文献】
【０００５】
【特許文献１】実用新案登録第３１８２２４９号公報
【特許文献２】特開２００４−１３００３７号公報
【考案の概要】
【考案が解決しようとする課題】
【０００６】
ところで、上記装飾用カーテンは、天井面から床面までの長さ（例えば３ｍ〜６ｍ）を有し、その重量が大きいものであるが、作業者は上記踏み台上で、３ｍ〜６ｍの高さに位置する天井面に上記重いカーテンを持ち上げて、その上縁の上記マグネットを上記金属製プレートに吸着させるという作業を行う必要がある。
【０００７】
このような作業を不安定な上記踏み台上で行うことは非常に危険であるし、踏み台上の作業者に上記装飾用カーテンを渡す地上の作業者も別途必要であるため、効率的な作業とはいえないものであった。
【０００８】
本考案は、地上から簡易安全に、装飾用カーテン等のカーテンを天井等の高所に取り付けることのできる高所カーテン取付具を提供することを目的とする。
【０００９】
また、本考案は、このようなカーテンの取り付け作業を作業員１人でも容易に行うことができる高所カーテン取付具を提供することを目的とする。
【課題を解決するための手段】
【００１０】
上記の目的を達成するため本考案は、
第１に、カーテンを上方に持ち上げて、その上縁を高所の金属プレートにマグネットを以って吸着させることにより、該カーテンを高所に取り付けるための高所カーテン取付具であって、支持台と、該支持台上に自立状態で垂直に固定された固定棒と、該固定棒内に挿入され該固定棒に対して上下方向に摺動可能な伸縮棒と、該伸縮棒の先端に設けられた支持用横杆と、該支持用横杆の上方に突出して設けられた挿入爪と、上記伸縮棒と上記固定棒との重複管部を径方向に貫通することで伸長状態の上記伸縮棒を上記固定棒に対して固定するロック部材とを具備しており、上記挿入爪を上記カーテンの上縁の下側開口ポケットに挿入した状態で、上記伸縮棒を上記固定棒に対して上方に伸長することにより、上記固定棒の自立状態で上記カーテンを高所に持ち上げ可能に構成したものであることを特徴とする高所カーテン取付具により構成される。
【００１１】
上記ロック部材は例えば固定用ピン（１０）により構成することができる。従って、伸縮棒の縮小状態の低い位置において、支持用横杆の挿入爪にカーテンの下側開口ポケットを挿入することでカーテンを支持し、その状態で固定棒は自立しているので、当該固定棒に対して上記伸縮棒を上方に伸長させることでカーテンを持ち上げる。そして、高所の壁面又は天井面等の金属プレートに上記カーテンの上縁を接触させることで、上記カーテンの上縁に設けられたマグネットを以って上記カーテンを上記高所の壁面又は天井面に取り付けることができる。上記伸縮棒を伸長した時点でロック部材によって伸長状態の伸縮棒を上記固定棒に対して固定することもでき、踏み台等を使用することなく、より安全に地上から高所にカーテンを取り付けることができる。
【００１２】
第２に、上記挿入爪は、上記支持用横杆に沿う垂直平面に対して、上記挿入爪の先端側が上記垂直平面の前方側又は後方側に離間する方向に、所定角度傾斜して設けられているものであることを特徴とする上記第１記載の高所カーテン取付具により構成される。
【００１３】
上記垂直平面とは例えば図６（ｃ）に示す支持用横杆（５）の後面に沿う垂直平面（Ｌ’）をいう。垂直平面の前方側とは高所カーテン取付具の前方側（図６（ｃ）の支持用横杆（５）の紙面に向かって左側）、垂直平面の後方側とは高所カーテン取付具の後方側（図６（ｃ）の支持用横杆（５）の紙面に向かって右側）をいう。このように構成すると、カーテンの上縁を例えば垂直面に取り付ける際、確実にカーテン上縁のマグネットを垂直面の金属プレートに接触させることができる。
【００１４】
第３に、上記支持台は下面側にキャスターを具備しているものである上記第１又は２記載の高所カーテン取付具により構成される。
【００１５】
このように構成すると、当該高所カーテン取付具を地上において容易に移動することが可能であるため、上記金属プレートに対する当該取付具の位置を容易に調整することができる。
【００１６】
第４に、上記伸縮棒を複管構造の管状部材により構成し、径大の上記伸縮棒に対して径小の上記伸縮棒の長さが長くなるように構成し、最少径の上記伸縮棒の先端部に上記支持用横杆を設け、上記各伸縮棒は他の伸縮棒に対する伸長状態において、両伸縮棒の重複管部を径方向に貫通することで伸長状態の上記伸縮棒を上記他の伸縮棒に対して固定するロック部材を具備しているものである上記第１〜３の何れかに記載の高所カーテン取付具により構成される。
【００１７】
このように構成すると、複管構造の伸縮棒を順次伸長することにより、相当な高さ（例えば６ｍ程度）であっても、地上からカーテンを安全に持ち上げることができる。また、各伸縮棒はロック部材により固定することにより、カーテンを高所に持ち上げた状態で、当該固定棒及び伸縮棒を自立状態に維持することができ、カーテンの持ち上げ状態において、高所の金属プレートとの位置調整をも容易に行うことができる。
【００１８】
第５に、上記挿入爪は上記支持用横杆の上縁に沿って複数本設けられているものである上記第１〜４の何れかに記載の高所カーテン取付具により構成される。
【００１９】
このように構成すると、カーテンの例えば上縁に沿って下側開口ポケットを複数設け、これら下側開口ポケットの各々に上記挿入爪を挿入することにより、より安定してカーテンを持ち上げることができる。
【００２０】
第６に、上記複数の挿入爪の設置位置に合わせて、上記カーテンの上縁に沿って複数の上記下側開口ポケットを設け、上記各下側開口ポケットに上記各挿入爪を１本ずつ挿入し得るように構成したものである上記第５記載の高所カーテン取付具により構成される。
【００２１】
このように構成すると、カーテンの上縁に沿う複数の下側開口ポケットの各々に上記挿入爪を挿入することにより、より安定してカーテンを持ち上げることができる。
【００２２】
第７に、上記支持用横杆は上記カーテンの上縁の横幅と同様の幅を有するものである上記第１〜６の何れかに記載の高所カーテン取付具により構成される。
【００２３】
このように構成すると、上記支持用横杆はカーテンの上縁の横幅と同様の幅を有するので、例えば上記支持用横杆に沿って複数の挿入爪を設け、これら挿入爪によって上記カーテンを支持することにより、安定してカーテンを持ち上げることができる。
【００２４】
第８に、上記固定棒に、上記ロック部材を挿入するための貫通孔を、上下方向に複数個設けたものである上記第１〜７の何れかに記載の高所カーテン取付具により構成される。
【００２５】
このように構成すると、取り付けるカーテンの高さに応じて、固定棒に対する伸縮棒のロック位置を調整することができるため、より安全かつ正確にカーテンを高所に取り付けることができる。
【００２６】
第９に、上記支持台上に、上記固定棒と上記支持台とを連結する把持用手摺りを設けたものである上記第１〜８の何れかに記載の高所カーテン取付具により構成される。
【００２７】
従って、上記把持用手摺りを把持した状態で安定してカーテンの持ち上げ作業を行うことができるし、キャスター付の場合は把持用手摺りを把持して当該取付具の移動を容易に行うことができる。
【００２８】
第１０に、上記カーテンは一側面側の上記上縁に、上記マグネットの収納されたマグネット収納部が上記上縁に沿う水平方向に複数個設けられており、上記カーテンの上記上縁を垂直面に設置された上記金属プレートに接続するものである上記１〜９の何れかに記載の高所カーテン取付具により構成される。
【００２９】
このように構成すると、カーテンを例えば壁面等の高所の垂直面に容易に取り付けることができる。
【００３０】
第１１に、上記カーテンは上記上縁に沿って上記マグネットの収納されたマグネット収納部が複数個設けられており、上記各マグネット収納部は上記上縁に対して水平方向に折曲された状態となっており、上記カーテンの上記マグネット収納部を水平面に設置された上記金属プレートに接続するものである上記第１〜９の何れかに記載の高所カーテン取付具。
【００３１】
このように構成すると、カーテンを例えば天井面等の高所の水平面に容易に取り付けることができる。
【考案の効果】
【００３２】
本考案によれば、踏み台等を用いることなく、地上の作業員が、自立状態の高所カーテン取付具を用いて、カーテンを容易に高所に持ち上げることができ、従来より安全かつ効率的に高所の壁面又は天井面等にカーテンを取り付けることができる。
【００３３】
また、挿入爪が垂直面に対して傾斜しているので、カーテンの上縁を例えば垂直面に取り付ける際、確実にカーテン上縁のマグネットを垂直面に金属プレートに接触させることができる。
【００３４】
また、高所カーテン取付具はキャスターを有しているので、例えばカーテンを持ち上げた状態においても、地上において高所カーテン取付具を容易に移動することができ、従って、高所の金属プレートに対する当該取付具の位置を容易に調整して、正確かつ確実にカーテンを高所の金属プレートに取り付けることが可能である。
【００３５】
また、伸縮棒が複管構造をなしているので、相当な高さ（例えば６ｍ程度）であっても、地上からカーテンを安全に持ち上げることができる。また、各伸縮棒を伸長状態で固定することができるため、カーテンを高所に持ち上げた状態においても高所の金属プレートとの位置調整を容易に行うことができる。
【００３６】
また、カーテンの上縁に沿って下側開口ポケットを複数設け、これら下側開口ポケットの各々に上記挿入爪を挿入することにより、安定してカーテンを持ち上げることができる。
【００３７】
また、取り付けるカーテンの高さに応じて、固定棒に対する伸縮棒のロック位置を調整することができるため、より安全かつ正確にカーテンを高所に取り付けることができる。
【００３８】
また、支持用横杆はカーテンの上縁の横幅と同様の幅を有するので、安定してカーテンを持ち上げることができる。
【００３９】
また、上記把持用手摺りを把持した状態で安定してカーテンの持ち上げ作業或いは取付具の移動を行うことができる。
【００４０】
また、本考案によれば、カーテンを例えば壁面等の高所の垂直面、又は、天井面等の高所の水平面に容易に取り付けることができる。
【図面の簡単な説明】
【００４１】
【図１】本考案に係る高所カーテン取付具の正面図である。
【図２】（ａ）は同上取付具の伸長状態の正面図、（ｂ）は伸縮棒を一部省略した状態の同上取付具の伸長状態の正面図である。
【図３】同上取付具の分解斜視図である。
【図４】（ａ）は同上取付具の固定棒及び支持台の平面図、（ｂ）は同上固定棒及び支持台の正面図、（ｃ）は同上固定棒及び支持台の側面図である。
【図５】（ａ）乃至（ｄ）は同上取付具の伸縮棒の正面図、（ｅ）は同上取付具において、上記伸縮棒を上記固定棒内に収納した状態を示す正面図である。
【図６】（ａ）は同上取付具の支持用横杆の平面図、（ｂ）は同上取付具の支持用横杆の正面図、（ｃ）は同上取付具の支持用横杆の側面図である。
【図７】同上取付具をカーテン（壁面用）に装着した状態の正面図である。
【図８】カーテンを壁面（垂直面）に取り付ける状態を示す同上取付具の側面図である。
【図９】同上取付具をカーテン（天井面用）に装着した状態の斜視図である。
【図１０】同上取付具を天井面（水平面）に取り付ける状態を示す同上取付具の側面図である。
【図１１】（ａ）は固定用ピンの側面図、（ｂ）は固定用ピンにて伸縮棒を伸長状態に固定した状態を示す伸長棒の側面断面図である。
【図１２】（ａ）（ｂ）ともに同上取付具の支持用横杆の他の実施形態を示す図である。
【考案を実施するための形態】
【００４２】
以下、添付図面に基づいて本考案に係る高所カーテン取付具について詳細に説明する。
【００４３】
図１、図２は同上高所カーテン取付具１の実施形態を示すものであり、支持台２と、該支持台２上に垂直に固定された固定棒３と、該固定棒３内に上下方向に摺動可能に収納された複数本の伸縮棒４（伸縮棒４ａ〜４ｄをまとめて伸縮棒４という）と、上記伸縮棒４の先端に設けられ上記伸縮棒４に対して直交する水平方向に設けられた支持用横杆５と、該支持用横杆５に上方に突出するように設けられた複数の挿入爪６と、から構成されている。
【００４４】
尚、図１において、高所カーテン取付具１が描かれている面の方向を「前面」、当該図１の高所カーテン取付具１の背面の方向を「後面」として以下説明する。また、図７のカーテン（壁面用）については、図７に描かれている面を「前面」、図７の背面側を「後面」とし、図９のカーテン（天井用）については、図９におけるマグネット収納部１４が突出している側を「後面」、その反対側を「前面」として説明する。
【００４５】
また、本考案において「高所」とは３ｍ〜６ｍ程度をいうが、それ以外の高さを排除する趣旨ではなく、３ｍ以下であっても作業員自身が届かない高さを含み、６ｍ以上の高さをも含む趣旨である。
【００４６】
当該高所カーテン取付具１は、図７〜図１０に示すように、上記挿入爪６をカーテン７の上縁７ａの下側開口ポケット１３（又は１６）内に挿入した状態で、上記伸縮棒４を伸長することで上記カーテン７を高所の壁面Ｗ（垂直面、図８参照）又は天井面Ｓ（水平面、図１０参照）の高さに持ち上げることを可能とするものである。
【００４７】
上記支持台２は図３、図４に示すように円盤状であり、その円の中心に筒状の固定棒３の下端が固定され、これにより固定棒３は上記支持台２上に垂直に自立状態に固定されている。
【００４８】
上記固定棒３の中間位置より若干上方位置には左右方向に貫通する透孔３ａが形成されており、当該透孔３ａに把持用手摺り１７の水平部１７ａが挿通され、当該水平部１７ａの両端部の垂直部１７ｂ，１７ｂは垂直下方に折り曲げられ、垂直部１７ｂ，１７ｂの両下端１７ｃ，１７ｃは、上記支持台２の上面に固定されている。即ち、上記支持台２上に、上記固定軸３と上記支持台２とを連結する把持用手摺り１７を設けたものである。
【００４９】
この把持用手摺り１７は上記固定棒３を上記支持台２上に確実に立設固定し得ると共に、当該把持用手摺り１７を把持して、当該高所カーテン取付具１を移動し得るように構成されている。
【００５０】
上記支持台２の下面には、４個のキャスター（車輪）９が固定されており、当該キャスター９を以って、当該高所カーテン取付具１を水平に容易に移動することができるように構成されている。
【００５１】
上記固定棒３は管状の棒であり、前面側の外周面には上下方向に複数の貫通孔３ｂが、固定棒３を前後方向に貫通する状態で形成されている。
【００５２】
上記伸縮棒４は４本の複管構造の管状部材から構成されており（図３参照）、上記固定棒３の内径より若干小であって上記固定棒３内に挿通可能な直径の円筒管からなる伸縮棒４ａと、該伸縮棒４ａの内径より若干小であって該伸縮棒４ａ内に挿通可能な直径の円筒管からなる伸縮棒４ｂと、該伸縮棒４ｂの内径より若干小であって該伸縮棒４ｂ内に挿通可能な直径の円筒管からなる伸縮棒４ｃと、該伸縮棒４ｃの内径より若干小であって該伸縮棒４ｃ内に挿通可能な直径の円筒管からなる伸縮棒４ｄとから構成されている。
【００５３】
またこれらの伸縮管４の長さは、図３に示すように、伸縮管４ａから径が小さくなる伸縮棒４ｄに行くほど長く形成されており、各棒４を複管状態で上記固定棒３内に収納した状態（図１）では、上記固定棒３から複管構造をなす各伸縮棒４の先端部が順次臨出し得るように構成されている。即ち、上記伸縮棒４は、径大の伸縮棒４に対して径小の伸縮棒４の長さが長くなるように構成されている。
【００５４】
最も細い伸縮棒４ｄを除いて、各伸縮棒４の上端部と下端部の位置には、各々位置決め用の貫通孔４ａ’，４ｂ’，４ｃ’が各棒４の前後方向に貫通状態で形成されている。即ち、これらの貫通孔４ａ’，４ｂ’，４ｃ’は、図１１（ｂ）に示すように、伸縮棒４の前面側と後面側の各々に前後方向に貫通した状態で形成されている（図３の固定棒３の貫通孔３ｂも同じ）。
【００５５】
上記伸縮棒４ｄには、その下端部には上記貫通孔４ｃ’と同様の位置決め用の貫通孔４ｄ’が前後方向に貫通状態で形成されているが（図１１（ｂ）参照）、上端部には上記支持用横杆５を取り付けるための取付用貫通孔４ｅ，４ｅが上下に２個形成されている。これら取付用貫通孔４ｅ，４ｅも、各々、上記伸縮棒４ｄの上端部の前後方向に貫通状態で形成されている（図６（ｃ）参照）。
【００５６】
上記伸縮棒４を伸長状態で固定するためには、例えば上記伸縮棒４ｄを上記伸縮棒４ｃに対して上方に伸ばして行き（図１１（ｂ）参照）、該伸縮棒４ｄの下端部の前後の貫通孔４ｄ’を上記伸縮棒４ｃの上端部の前後の貫通孔４ｃ’に各々位置合わせを行い、両貫通孔４ｃ’，４ｄ’間に固定用ピン１０を上記両伸縮棒４ｄ，４ｃの前面側から後面側に貫通状態で挿入し、上記伸縮棒４ｃの後面側にて上記固定用ピン１０のロックピン部１０ｄを折曲することにより、上記伸縮棒４ｄを伸長状態に固定することができる。即ち、上記各伸縮棒４は他の伸縮棒４に対する伸長状態において、両伸縮棒４の重複管部２０（図１１（ｂ）参照）を径方向に貫通することで伸長状態の上記伸縮棒４（例えば伸縮棒４ｄ）を上記他の伸縮棒４（例えば伸縮棒４ｃ）に対して固定する固定用ピン１０を具備している。
【００５７】
上記固定用ピン１０は（図１１（ａ）参照）、抜止頭部１０ａを有するピン部１０ｂと、該ピン部１０ｂに支軸１０ｃを以って回動可能に設けられたロックピン部１０ｄを有しており、図１１（ｂ）に示すように、上記伸縮棒４を位置決めする際に、上記貫通孔４ｃ’、４ｄ’等に挿入し、上記ロックピン部１０ｄを折曲することで上記伸縮棒４を伸長状態に維持するものである（他の伸縮棒も同じ）。
【００５８】
上記支持用横杆５は、図３に示すように、左右方向に延びる横基板５ａと、その左右方向の中央に設けられ、下方に突出する支持管５ｂを有しており、当該支持管５ｂには上下方向に上記貫通孔４ｅ，４ｅと同一間隔の貫通孔５ｂ’、５ｂ’が前後方向に貫通した状態で形成されている。
【００５９】
また、上記横基板５ａの後面側には、７枚の挿入爪６が横基板５ａの上方に突出状態で固定されている。これらの挿入爪６は、ある程度弾性のある金属製の薄い板状体から形成されており、図６（ｃ）に示すように、その下端部６ａを上記横基板５ａ後面に宛がい、上記横基板５ａの上下方向の２か所において前後方向に貫通するボルトＢ及びナットＮにより、上記横基板５ａに各々固定されている。
【００６０】
これらの挿入爪６は上記横基板５ａに固定された上記下端部６ａは垂直面であるが、上記下端部６ａより上方の部分（挿入部６ｂ）、即ち、上記横基板５ａから上方に突出する挿入部６ｂは、図６（ｃ）に示すように、上記横基板５ａの上面５ｃ位置から、前方側に屈曲され、上記各挿入爪６の上記伸縮棒４に沿う延長線Ｌより前方にθ度（約２０度）傾斜した状態となっている。
【００６１】
即ち、上記挿入爪６は、上記支持用横杆５に沿う垂直平面Ｌ’（上記垂直線Ｌを含む、上記支持用横杆５に沿う垂直平面Ｌ’）に対して、上記挿入爪６の先端側が上記垂直平面Ｌ’の前方側（当該カーテン取付具１の前方側）に離間する方向に、所定角度θ傾斜して設けられているものある。尚、上記挿入爪６の傾斜方向は、図６（ｃ）とは逆方向、即ち、上記挿入爪６の先端側が上記垂直平面Ｌ’の後方側（当該高所カーテン取付具１の後方側、上記図６（ｃ）の挿入爪６の傾斜方向とは逆方向）に離間する方向に、所定角度θ傾斜して設けても良い。
【００６２】
そして、上記支持管５ｂ内に、最少径の上記伸縮棒４ｄの先端部が挿入され、支持管５ｂの上記貫通孔５ｂ’、５ｂ’と上記伸縮棒４ｄの貫通孔４ｅ，４ｅとの位置合わせを行い、両孔にボルトＢを挿入し、ナットＮで固定することにより、最少径の上記伸縮棒４ｄの先端に上記支持用横杆５が水平に固定されている。
【００６３】
尚、図６中、１９は上記支持管５ｂと上記横基板５ａを固定するための補強板、１２は上記支持管５ｂと上記横基板５ａを固定するための補強杆である。
【００６４】
上記挿入爪６は当該実施形態では、上記横基板５ａの左右方向において、中央部に１本、及び、左右に３本ずつを、等間隔Ｔを隔てた状態で計７本設けている。
【００６５】
また、上記支持用横杆５、即ち上記横基板５ａの幅は、持ち上げるカーテン７の上縁７ａの横幅と同様の幅を有しているものである（図７参照）。また、上記支持用横杆５、即ち、横基板５ａの横方向の長さと上記挿入爪６の本数は、取り付けるカーテン７の幅等に応じて設定すれば良く、当該実施例に限定されない。例えば、横幅の短いカーテンであれば、上記横基板５ａの横幅を狭くしても良いし、上記挿入爪６の本数も少なくしても良い。例えば、図１２（ａ）に示すように、より狭い幅のカーテンを持ち上げる際は、支持用横杆５の左右長さを当該カーテンの幅に合わせて短くし、上記挿入爪６も３本とすることができる。
【００６６】
また、装飾用垂幕のような極めて幅の狭いカーテンを落ち挙げる場合は、図１２（ｂ）に示すように、支持用横杆５の幅も上記カーテンの幅に合わせて短いものであって、係合爪６が１本の高所カーテン取付具１であっても良い。
【００６７】
次に、上記本発明に係る高所カーテン取付具１により取り付けるカーテンについて説明する。
【００６８】
当該カーテンは、図７に示すように壁面Ｗ等の垂直面に取り付けるカーテン７と、図９に示すように天井面Ｓ等の水平面に取り付けるカーテン７とがある。何れも、壁面Ｗ等の垂直面、及び、天井面Ｓの水平面におけるカーテンの取付位置には、予めカーテンのマグネットＭが磁気的に吸着し得る磁性材料からなる金属プレート１１を上記垂直面又は水平面に取り付けて置く。尚、上記金属プレート１１は上記カーテンの上記上縁に沿うものであり、左右方向に長い板状部材からなるものである。
【００６９】
壁面Ｗ等の垂直面に取り付けるカーテンは、図７に示すように、カーテン７の上縁７ａの前面側に左右方向に一定間隔で上記挿入爪６を挿入するための下側開口ポケット１３が複数個設けられている。
【００７０】
この下側開口ポケット１３の設置間隔は、上記複数の挿入爪６が各々のポケット１３に１本ずつ挿入し得る間隔であり、従って、上記支持用横杆５の上記挿入爪６を上記カーテン７の各下側開口ポケット１３に１本ずつ挿入し得るように構成されている（図７参照）。尚、これらのポケット１３は、上記カーテン７の上記上縁７ａにおいて、その左右側縁と上縁を上記カーテンの前面生地に縫い付けることにより上記カーテンに取り付けられている。
【００７１】
上記各下側開口ポケット１３の設置位置の反対側（後面、一側面側）には、布素材によってマグネット収納部１４が各々形成されており、各マグネット収納部１４内にはマグネットＭが各々収納されている。具体的には上記マグネット収納部１４は、マグネットＭを上記布素材によって被覆し、該布素材の四辺を上記カーテン７の後面生地に縫い付けることにより上記カーテン７の後面に設置されている。
【００７２】
上記カーテン７は図８に示すように、上記後面のマグネットＭを上記壁面Ｗ等の垂直面に設けられた金属プレート１１に磁気的に吸着することにより、当該壁面Ｗに取り付けることができる。このとき、上記挿入爪６の挿入部６ｂが前方に２０度傾斜しているので、仮に、上記壁面Ｗが上記金属プレート１１の位置から地上面まで存在していたとしても、カーテン７の上縁のマグネットＭを上記金属プレート１１に容易に接近させて、当該マグネットＭを上記金属プレート１１に接触させることができる。
【００７３】
一方、天井面Ｓに取り付けるカーテン７は、図９に示すように、カーテン７の上縁７ａに沿って後方側に水平に突出するマグネット収納部１４を、上記上縁７ａに沿って一定間隔で複数設ける。
【００７４】
上記マグネット収納部１４は布素材により形成され、内部にマグネットＭが収納され、四辺を縫合したものであり、一辺１４ａを上記カーテン７の上縁７ａの縁部７ａ’に縫合連結すると共に、帯状支持布１５の上端部１５ａを上記収納部１４下面に縫合連結すると共に、上記帯状支持布１５の下端部１５ｂを上記カーテン７の上縁７ａ後面に縫合連結し、当該支持布１５の中間部１５ｃ内部に板状の硬質芯材（例えば合成樹脂板）１８を収納することによって、図９に示すように、上記マグネット収納部１４が上記カーテン７の上記上縁７ａ（略垂直面）に対して水平に位置するように構成されている（図１０参照）。
【００７５】
図９に示すように、上記マグネット収納部１４は上記上縁７ａに沿って、上記支持用横杆５の上記挿入爪６の設置間隔と同様の間隔を以って設置されている。
【００７６】
そして、上記マグネット収納部１４が形成された上記カーテン７の上縁７ａの前面側には、上記挿入爪６を挿入するための下側開口ポケット１６が複数形成されている。
【００７７】
上記下側開口ポケット１６は、例えば上記上縁を前面側に折り曲げると共に、側部１６ａを縫合すると共に、上記マグネット収納部１４に合わせて一定間隔で上記上縁７ａを縦方向に縫合（縫合部１６ｂ）することにより、複数の下側開口ポケット１６を形成することができる。
【００７８】
そして、図１０に示すように、当該カーテン７の上記マグネット収納部１４を、天井面の金属プレート１１に磁気的に吸着することで、当該カーテン７を天井面Ｓに取り付けることができるように構成されている。
【００７９】
本考案の高所カーテン取付具は上述のように構成されているため、次に同上取付具の使用法について説明する。
【００８０】
まず、高所の壁面Ｗ等の垂直面にカーテン７（図７、図８）を取り付ける場合を説明する。
【００８１】
最初に、上記把持用手摺り１７を持って、当該カーテン取付具１を移動して、カーテンの設置位置の直下に位置させる。このとき、上記支持台２はキャスター９を有するので、容易に設置位置まで当該取付具１を移動することができる。
【００８２】
次に、高所カーテン取付具１を図１の縮小状態で、上記支持用横杆５の各挿入爪６を、カーテン７（図７の壁面用カーテン）の上縁７ａの各下側開口ポケット１３内に各々挿入してく。
【００８３】
このとき、上記支持用横杆５の挿入爪６の先端の高さは、約１７２０ｍｍ程度なので、踏み台等を使用することなく、容易に上記カーテン７の下側開口ポケット１３内に上記各挿入爪６を挿入していくことができる。
【００８４】
その後、カーテン７の設置高さに応じて、伸縮棒４を伸長していく。まず、最も細い伸縮棒４ｄ（例えば長さ１４５０ｍｍ）を、伸縮棒４ｃに対して、上記カーテン４を持ち上げながら上方に伸長して行き、伸縮棒４ｄの下端部の貫通孔４ｄ’と伸縮棒４ｃの上端部の貫通孔４ｃ’との位置合わせを行い、両孔４ｄ’、４ｃ’に固定用ピン１０を前面側から挿入貫通し、上記伸縮棒４の後面側にてロックピン部１０ｄを回動させて当該ピン１０をロックする。これにより、伸長した上記伸縮棒４ｄを上記伸縮棒４ｃにロックすることができる（図１１（ｂ）参照）。
【００８５】
次に、２番目に細い上記伸縮棒４ｃ（例えば長さ１３５０ｍｍ）を、伸縮棒４ｂに対して、上記カーテン４を持ち上げながら伸長して行き、上記伸縮棒４ｃの下端部の貫通孔４ｃ’と伸縮棒４ｂの上端部の貫通孔４ｂ’との位置合わせを行い、両孔４ｃ’、４ｂ’に固定用ピン１０を前面側から挿入貫通し、上記伸縮棒４の後面側にてロックピン部１０ｄを回動させて当該ピン１０をロックする。すると、伸長した上記伸縮棒４ｃを上記伸縮棒４ｂにロックすることができる。
【００８６】
以下、同様にして上記伸縮棒４ｂを上記伸縮棒４ａに対して伸長して、伸縮棒４ｂの下端部の貫通孔４ｂ’と伸縮棒４ａの上端部の貫通孔４ａ’とに上記固定用ピン１０を挿入してロックし、上記伸縮棒４ｂを上記伸縮棒４ａに伸長状態でロックする。
【００８７】
最後に、上記伸縮棒４ａを上記固定棒３に対して上記カーテン７を持ち上げながら伸長いて行き、上記カーテン７の上端７ａの後面のマグネットＭの高さを、壁面の高所に設けられた金属プレート１１の高さと略同一高さ近傍まで上昇させ、その位置において上記伸縮棒４ａの下端部の貫通孔４ａ’と上記固定棒３の複数の貫通孔３ｂの内の何れかとを位置合わせし、両貫通孔４ａ’，３ｂに固定用ピン１０を前面側から挿入貫通し、上記固定棒３の後面側にてロックピン部１０を回動させて当該ピン１０をロックする。これにより上記伸縮棒４を伸長状態で上記固定棒３にロックすることができる。このときの上記支持用横杆５の各挿入爪６の先端部の高さは約６２００ｍｍとなる。
【００８８】
その後、上記把持用手摺り１７を持って当該高所カーテン取付具１を上記壁面Ｗ側に近づけることにより、図８に示すように、カーテン７の後面側の上記マグネットＭを上記金属プレート１１に接触させる。
【００８９】
すると、上記マグネットＭの磁気的吸着力がマグネット収納部１４の布素材を介して上記金属プレート１１に作用し、上記カーテン７の上記上端７ａの後面を上記金属プレート１１に強固に吸着させることができる。
【００９０】
このとき、上記挿入爪６の挿入部６ｂが前方にθ度（２０度）傾斜しているので、高所の垂直面に容易にカーテン７の上端７ａを接触させることができる。
【００９１】
上記カーテン７の上端７ａが上記金属プレート１１に接続した後は、上記固定棒３の貫通孔３ｂと上記伸縮棒４ａの下端部の貫通孔４ａ’に挿入されている固定用ピン１０のロックピン部１０ｄを水平に戻し、当該固定用ピン１０を両孔３ｂ，４ａ’から抜脱し、上記固定棒３に対して上記伸縮棒４ａを上記支持用横杆５と共に下降すれば良い。
【００９２】
すると、上記支持用横杆５は上記伸縮棒４と共に下降していくため、上記挿入爪６を上記カーテン７の下側開口ポケット１３から下方に容易に離脱することができる。
【００９３】
その後は、同様に、上記各伸縮棒４から上記固定用ピン１０を抜脱し、上記伸縮棒４を複管構造として縮小して行くことにより、図１の状態に復帰することができる。
【００９４】
このように本発明の高所カーテン取付具１によると、約６０００ｍｍ（約６ｍ）の高さの高所であっても、踏み台等を使用することなく、地上面から上記高所にカーテン７を持ち上げて、当該カーテン７を高所に設置することができる。
【００９５】
次に、高所の天井面Ｓ等の水平面にカーテン７（図９、図１０）を取り付ける場合を説明する。
【００９６】
最初に、上記は把持用手摺り１７を持って、当該カーテン取付具１を移動して、カーテンの設置位置（天井面Ｓの金属プレート１１の設置位置）の直下に位置させる。このとき、上記と同様に、上記支持台２はキャスター９を有するので、容易に設置位置まで当該取付具１を移動することができる。
【００９７】
次に、高所カーテン取付具１を図１の縮小状態で、上記支持用横杆５の各挿入爪６を、カーテン７（図９の水平面用カーテン）の上縁７ａの各下側開口ポケット１６内に各々挿入してく。
【００９８】
このとき、上記支持用横杆５の挿入爪６の先端の高さは、約１７２０ｍｍ程度なので、踏み台等を使用することなく、容易に上記カーテン７の下側開口ポケット１６内に上記各挿入爪６を挿入していくことができる。
【００９９】
その後、カーテン７の設置高さに応じて、伸縮棒４を伸長していく。まず、最も細い伸縮棒４ｄを、伸縮棒４ｃに対して、上記カーテン４を持ち上げながら伸長して行き、伸縮棒４ｄの下端部の貫通孔４ｄ’と伸縮棒４ｃの上端部の貫通孔４ｃ’との位置合わせを行い、両孔４ｄ’，４ｃ’に固定用ピン１０を前面側から挿入貫通し、上記伸縮棒４の後面側にてロックピン部１０ｄを回動させて当該ピン１０をロックする。これにより伸長した上記伸縮棒４ｄを上記伸縮棒４ｃにロックすることができる。
【０１００】
以下の動作は、上記壁面Ｗにカーテン７を接続する際と同様であり、上記伸縮棒４を順次伸長させて各伸縮棒４同士の上端部と下端部の貫通孔の位置合わせを行い、当該貫通孔に固定用ロックピン１０を挿入することで、各伸縮棒４を伸長状態でロックして行く。これらの動作は上記壁面Ｗへの接続時と同様なので省略する。
【０１０１】
最後に、上記伸縮棒４ａを上記固定棒３に対して上記カーテン７を持ち上げながら伸長して行き、上記カーテン７の上端７ａのマグネット収納部１４内のマグネットＭを天井面の金属プレート１１に接触させる。
【０１０２】
天井面Ｓの場合は、上記伸縮棒４ａを上記固定棒３に固定しても良いが、上記取付具１が上記天井面Ｓの金属プレート１１の直下にて作業を行っているので、上記伸縮棒４の固定棒３に対する固定を行うことなく、上記伸縮棒４ａを上方に持ち上げていくことにより、上記カーテン７を持ち上げて行き、カーテン７のマグネットＭを上記金属プレート１１に近づけて行くことができる。
【０１０３】
このとき、上記挿入爪６の高さは約６０００ｍｍ（約６ｍ）に達しているので、地上から６０００ｍｍ程度の天井面Ｓであっても、作業員一人で容易にカーテン７の取り付け作業を行うことができる。
【０１０４】
そして、上記マグネット収納部１４が上記天井面Ｓの金属プレート１１に接触すると、上記マグネット収納部１４内のマグネットＭの磁気的吸着力がマグネット収納部１４の布素材を介して上記金属プレート１１に作用し、上記カーテン７の各マグネット収納部１４を上記金属プレート１１に強固に吸着させることができる。これによりカーテン７を上記天井面Ｓに取り付けることができる。
【０１０５】
このとき、上記マグネット収納部１４はカーテン７の上端７ａに対して水平方向に支持されているので、当該収納部１４内のマグネットＭを容易に天井面の金属プレート１１に接触させることができる。
【０１０６】
また、当該高所カーテン取付具１の支持台２はキャスター９を有し、当該取付具１を容易に水平に移動することができるので、上記金属プレート１１に対する当該取付具１、即ち、カーテン７のマグネット収納部１４の位置調整を容易に行うことができる。
【０１０７】
また、上記挿入爪６の挿入部６ｂが前方にθ度（２０度）傾斜しているので、高所の水平面の位置の確認が容易であり、正確にカーテン７のマグネットＭを上記金属プレート１１に接触させることができる。
【０１０８】
上記カーテン７の上記マグネット収納部１４が上記金属プレート１１に接続した後は、上記固定棒３に対して上記伸縮棒４ａを上記支持用横杆５と共に下降すれば良い。
【０１０９】
すると、上記支持用横杆５は上記伸縮棒４と共に下降していくため、上記挿入爪６を上記カーテン７の下側開口ポケット１６から下方に離脱することができる。
【０１１０】
その後は、同様に、上記各伸縮棒４から上記固定用ピン１０を抜脱し、上記伸縮棒４を縮小することにより、図１の状態に復帰することができる。
【０１１１】
尚、壁面Ｗ又は天井面Ｓに設置したカーテンの取り外しは、これらのカーテン７を下方に引っ張ることにより、上記マグネットＭと上記金属プレート１１との磁気的吸着を離脱することにより容易に行うことができる。
【０１１２】
以上のように、本考案によれば、踏み台等を用いることなく、地上の作業員が、自立状態の高所カーテン取付具１を用いて、カーテン７を容易に高所に持ち上げることができ、従来より安全かつ効率的に高所の壁面Ｗ又は天井面Ｓ等にカーテンを取り付けることができる。
【０１１３】
また、高所カーテン取付具１はキャスター９を有しているので、例えばカーテン７を持ち上げた状態においても、地上において高所カーテン取付具１は自立しており、当該取付具を自立状態で容易に水平方向に移動することができ、従って、高所の金属プレート１１に対する当該取付具１の位置を容易に調整して、正確かつ確実にカーテンを高所の金属プレート１１に取り付けることが可能である。
【０１１４】
また、伸縮棒４が複管構造をなしているので、相当な高さ（例えば６ｍ程度）であっても、地上からカーテン７を安全に持ち上げることができる。また、各伸縮棒４を伸長状態で固定することができるため、カーテンを高所に持ち上げた状態においても高所の金属プレート１１との位置調整を容易に行うことができる。
【０１１５】
また、カーテン７の上縁に沿って下側開口ポケット１３又は１６を複数設け、これら下側開口ポケット１３又は１６の各々に上記挿入爪６を挿入することにより、安定してカーテン７を持ち上げることができる。
【０１１６】
また、取り付けるカーテン７の高さに応じて、固定棒３に対する伸縮棒４のロック位置を調整することができるため、より安全かつ正確にカーテンを高所に取り付けることができる。
【０１１７】
また、支持用横杆５はカーテン７の上縁７ａの横幅と同様の幅を有するので、安定してカーテンを持ち上げることができし、上記上縁７ａに沿って設けられた複数のマグネットＭを金属プレート１１に確実に吸着させることができる。
【０１１８】
また、上記把持用手摺り１７を把持した状態で安定してカーテンの持ち上げ作業或いは取付具の水平に移動を行うことができる。
【０１１９】
また、本考案によれば、カーテン７を例えば壁面Ｗ等の高所の垂直面、又は、天井面Ｓ等の高所の水平面に容易に取り付けることができる。
【０１２０】
尚、本発明におけるカーテンは、主に装飾用のカーテンであるが、必ずしも日差しを遮るためのものに限らず、純粋に装飾用の垂れ幕、装飾用にのみ設置される布製の帯状体、舞台装置等の垂れ幕等を含む広い概念である。
【産業上の利用可能性】
【０１２１】
本考案に係る高所カーテン取付具は、例えば披露宴会場の雛壇の背面側の装飾として使用する装飾用カーテンの高所取り付け、或いは、披露宴会場の入り口等に設置される装飾用カーテンの高所取り付け等に用いて好適であり、その他各種のカーテンの取り付けに適用できるものである。
【符号の説明】
【０１２２】
１                高所カーテン取付具
２                支持台
３                固定棒
４                伸縮棒
４ａ〜４ｄ        伸縮棒
５                支持用横杆
６                挿入爪
７                カーテン
９                キャスター
１０              固定用ピン
１１              金属プレート
１３              下側開口ポケット
１４              マグネット収納部
１６              下側開口ポケット
１７              把持用手摺り
Ｍ                マグネット
Ｗ                壁面
Ｓ                天井面
Ｌ’              垂直平面
【図１】
0003193820.tif 000003
【図２】
0003193820.tif 000004
【図３】
0003193820.tif 000005
【図４】
0003193820.tif 000006
【図５】
0003193820.tif 000007
【図６】
0003193820.tif 000008
【図７】
0003193820.tif 000009
【図８】
0003193820.tif 000010
【図９】
0003193820.tif 000011
【図１０】
0003193820.tif 000012
【図１１】
0003193820.tif 000013
【図１２】
0003193820.tif 000014